(57)【特許請求の範囲】
【請求項１】
電気接点を有するカメラ側アクセサリシューに着脱可能に装着されるアクセサリ機器であって、
操作部材と、
前記カメラ側アクセサリシューに係合するシュー部材と、
前記シュー部材が前記カメラ側アクセサリシューに係合した状態で前記電気接点に接触する接点ピンと、
前記操作部材の操作に連動して、前記カメラ側アクセサリシューに対して前記シュー部材をロックする位置と前記シュー部材のロックを解除する位置とに移動する移動部材と、を備え、
前記接点ピンは、前記移動部材が前記ロックする位置にあるときも前記ロックを解除する位置にあるときも先端が突出して露出しており、前記移動部材が前記ロックする位置にあるとき、前記移動部材が前記ロックを解除する位置にあるときより、突出する方向への力が大きくなるように前記移動部材の移動に伴い付勢されることを特徴とするアクセサリ機器。
【請求項２】
前記操作部材は、カム部を有して回動操作が可能とされ、
前記移動部材は、前記カム部がカム係合する係合部を有し、
前記操作部材を回動操作した際に、前記カム部と前記係合部とのカム作用により前記移動部材が前記シュー部材をロックする位置と前記シュー部材のロックを解除する位置とに移動することを特徴とする請求項１に記載のアクセサリ機器。
【請求項３】
前記移動部材は、前記電気接点に接触した状態の前記接点ピンを前記電気接点の方向に付勢する接点付勢部材を支持し、前記ロックする位置に移動したとき、前記接点付勢部材を圧縮して前記接点ピンを付勢することを特徴とする請求項１または２に記載のアクセサリ機器。
【請求項４】
撮像装置に着脱可能に装着されるアクセサリ機器であって、
装着された前記撮像装置に対して前記アクセサリ機器を固定する第１の位置と、前記装着された前記撮像装置に対する前記アクセサリ機器の固定を解除する第２の位置とに移動可能な移動部材と、
前記装着された前記撮像装置に設けられた電気接点に接触する接点部材と、
前記移動部材の前記第２の位置から前記第１の位置への移動に応じて、前記接点部材の突出する方向への力を大きくする付勢機構と、を有し、
前記接点部材は、前記移動部材の位置によらず先端が突出して露出していることを特徴とするアクセサリ機器。
【発明の詳細な説明】
【技術分野】
【０００１】
本発明は、カメラ側アクセサリシューに装着されるアクセサリ機器に関し、詳しくはカメラの電子回路と電気的に接続するための接点ピンを備えるアクセサリ機器に関する。
【背景技術】
【０００２】
カメラの電子回路と電気的に接続するための接続ピンを備えるカメラ用アクセサリ機器として、カメラ側アクセサリシューへの装着状態でバネ付勢された接点ピンをカメラ側アクセサリシューの電気接点に接触させるストロボ装置が提案されている（特許文献１）。
【先行技術文献】
【特許文献】
【０００３】
【特許文献１】特開２００８−１７５９２４号公報
【発明の概要】
【発明が解決しようとする課題】
【０００４】
ところで、カメラ用アクセサリ機器の接点ピン、及びカメラ側アクセサリシューの電気接点は、通常露出した状態であるため、長期間の放置等で表面に酸化被膜が形成されることで、電気的な接触抵抗が大きくなり、誤作動の原因となる。この場合、カメラ用アクセサリ機器の接点ピンに対して、酸化被膜を破断するだけの大きな付勢力を付与することが考えられる。
【０００５】
しかし、上記特許文献１のストロボ装置の接点ピンに大きな付勢力を与えると、カメラ側アクセサリシューへの装着中に突出した接点ピンがカメラ側アクセサリシューの電気接点や電気接点の周囲の樹脂部分を摺動する。
【０００６】
このため、ストロボ装置の複数回の着脱の繰り返しによりカメラ側アクセサリシューに疵が発生して外観上の問題となるばかりか、樹脂粉等により接触不良を起こす可能性がある。
【０００７】
そこで、本発明は、複数回の着脱の繰り返しによりカメラ側アクセサリシューに疵がつくのを防止すると共に、酸化被膜等の影響を受けることなく、カメラとの電気的な接続を確実に確保するアクセサリ機器を提供することを目的とする。
【課題を解決するための手段】
【０００８】
上記目的を達成するために、本発明にかかるアクセサリ機器は、電気接点を有するカメラ側アクセサリシューに着脱可能に装着されるアクセサリ機器であって、操作部材と、前記カメラ側アクセサリシューに係合するシュー部材と、前記シュー部材が前記カメラ側アクセサリシューに係合した状態で前記電気接点に接触する接点ピンと、前記操作部材の操作に連動して、前記カメラ側アクセサリシューに対して前記シュー部材をロックする位置と前記シュー部材のロックを解除する位置とに移動する移動部材と、を備え、前記接点ピンは、前記移動部材が前記ロックする位置にあるときも前記ロックを解除する位置にあるときも先端が突出して露出しており、前記移動部材が前記ロックする位置にあるとき、前記移動部材が前記ロックを解除する位置にあるときより、突出する方向への力が大きくなるように前記移動部材の移動に伴い付勢されることを特徴とする。
更に、本発明にかかるアクセサリ機器は、撮像装置に着脱可能に装着されるアクセサリ機器であって、装着された前記撮像装置に対して前記アクセサリ機器を固定する第１の位置と、前記装着された前記撮像装置に対する前記アクセサリ機器の固定を解除する第２の位置とに移動可能な移動部材と、前記装着された前記撮像装置に設けられた電気接点に接触する接点部材と、前記移動部材の前記第２の位置から前記第１の位置への移動に応じて、前記接点部材の突出する方向への力を大きくする付勢機構と、を有し、前記接点部材は、前記移動部材の位置によらず先端が突出して露出していることを特徴とする。
【発明の効果】
【０００９】
本発明のアクセサリ機器によれば、複数回の着脱の繰り返しによりカメラ側アクセサリシューに疵がつくのを防止することができると共に、酸化被膜等の影響を受けることなく、カメラとの電気的な接続を確実に確保することができる。
【図面の簡単な説明】
【００１０】
【図１】本発明のカメラ用アクセサリ機器の実施形態の一例であるストロボ装置をデジタルカメラに接続した状態を示す概略ブロック図である。
【図２】（ａ）はアクセサリシューのロック解除状態を示す斜視図、（ｂ）はアクセサリシューのロック状態を示す斜視図である。
【図３】アクセサリシューの概略分解斜視図である。
【図４】カメラ側アクセサリシューを示す外観斜視図である。
【図５】（ａ）はストロボ装置側のアクセサリシューにおけるロック解除状態での側断面図、（ｂ）はストロボ装置側のアクセサリシューにおけるロック状態での側断面図である。
【図６】（ａ）はストロボ装置側のアクセサリシューにおけるロック解除状態をカメラの背面側から見た中央断面図、（ｂ）はストロボ装置側のアクセサリシューにおけるロック状態をカメラの背面側から見た中央断面図である。
【発明を実施するための形態】
【００１１】
以下、本発明の実施形態の一例を図面を参照して説明する。
【００１２】
図１は、本発明のカメラ用アクセサリ機器の実施形態の一例であるストロボ装置をデジタルカメラに接続した状態を示す概略ブロック図である。
【００１３】
図１において、デジタルカメラ（以下、カメラという。）１０１は、撮影レンズ９、絞り１０、撮像素子１１、カメラ側アクセサリシュー２００、信号処理回路１３、及びＣＰＵ１４等を備える。
【００１４】
撮影レンズ９を通過した被写体像は、撮像素子１１に結像され、撮像素子１１から出力された画像信号は、信号処理回路１３によって所定の信号処理が施される。
【００１５】
ストロボ装置１００は、背面操作部１、キセノン管２、反射傘３、フレネルレンズ４、ストロボ回路６、制御回路７、及びアクセサリシュー１０２等を備える。
【００１６】
キセノン管２から発した閃光は、反射傘３で反射され、フレネルレンズ４は、反射傘３で反射した光束の配光を制御する。ストロボ回路６は、キセノン管２を発光させる昇圧回路やトリガー回路を含む。
【００１７】
アクセサリシュー１０２の接点ピン８は、カメラ側アクセサリシュー２００に電気的に接続され、これにより、制御回路７とカメラ１０１のＣＰＵ１４との間での通信を可能にしている。
【００１８】
制御回路７は、カメラ１０１のＣＰＵ１４からの制御命令に従ってキセノン管２の発光制御を行う。また、制御回路７は、背面操作部１の操作情報を検出する処理や、カメラ１０１のＣＰＵ１４からの要求に従ってストロボ装置１００の装置状態を送信する処理等を行う。
【００１９】
次に、図２及び図３を参照して、ストロボ装置１００のアクセサリシュー１０２について説明する。
【００２０】
図２（ａ）はアクセサリシュー１０２のロック解除状態を示す斜視図、図２（ｂ）はアクセサリシュー１０２のロック状態を示す斜視図、図３はアクセサリシュー１０２の概略分解斜視図である。
【００２１】
図２及び図３に示すように、アクセサリシュー１０２は、シューケース１５、ロックレバー１８、ロック解除釦１９、シューモールド１７、アクセサリシュー保持部材２０、シュー金具２３、及び接点バネ保持部材２６を備える。
【００２２】
シューケース１５には、ストロボ装置１００の底面側にアクセサリシュー１０２をネジ止めするための複数のネジ穴１６が形成されている。
【００２３】
ロックレバー１８は、本発明の操作部材の一例に相当し、リング状に形成されて、略６０°の範囲で回動操作が可能とされている。ロックレバー１８の、周方向の一部には、径方向外側に突出するレバー部１８ａが設けられている。ロックレバー１８の内周部には、カム部１８ｂが設けられている。
【００２４】
図２（ａ）に示すアクセサリシュー１０２のロック解除状態では、カム部１８ｂのカム面１８ｅが後述するアクセサリシュー保持部材２０の係合部２０ｂにカム係合する。また、図２（ｂ）に示すアクセサリシュー１０２のロック状態では、カム部１８ｂのカム面１８ｄがアクセサリシュー保持部材２０の係合部２０ｂにカム係合する。
【００２５】
ロックレバー１８のレバー部１８ａ近傍には、凹部１８ｃが形成され、凹部１８ｃには、ロック解除釦１９が組み込まれる。凹部１８ｃとロック解除釦１９との間には、ロック解除釦１９をロックレバー１８の径方向外方に付勢する付勢部材２４が組み込まれる。ロック解除釦１９には、ロック係止部１９ａが形成されている。
【００２６】
シューケース１５には、ロック係止部１９ａがロックレバー１８の回動操作方向に摺動するレール部１５ａが形成されている。ロック係止部１９ａは、ロックレバー１８が図２（ｂ）に示すアクセサリシュー１０２のロック位置にあるとき、付勢部材２４の付勢力によりレール部１５ａに形成された係止溝１５ｃに進入して係止される。
【００２７】
アクセサリシュー１０２のロックを解除する際には、ロック解除釦１９を付勢部材２４の付勢力に抗して押すと、係止溝１５ｃからロック係止部１９ａが離脱してロックレバー１８をロック解除方向へ回動操作することが可能となる。
【００２８】
一方、ロックレバー１８が図２（ａ）に示すアクセサリシュー１０２のロック解除位置にあるとき、ロック係止部１９ａは、付勢部材２４の付勢力によりレール部１５ａに形成された係止溝１５ｄに進入して係止される。
【００２９】
ここで、係止溝１５ｄには、ロック解除釦１９を付勢部材２４の付勢力に抗して押さなくても、ロック係止部１９ａの係止溝１５ｄからの離脱を可能にする傾斜部１５ｂが形成されている。このため、ロック解除釦１９を付勢部材２４の付勢力に抗して押さなくても、ロックレバー１８をロック位置方向へ回動操作することが可能となる。
【００３０】
シューモールド１７は、ロックレバー１８の内周部が嵌合される円盤部１７ａと、円盤部１７ａの下端面に形成された略直方体状のガイド部１７ｂとを有する。
【００３１】
アクセサリシュー保持部材２０は、円柱形状をなしており、その中央には、ガイド部１７ｂが挿入される長方形の挿入穴部２０ａが形成されている。アクセサリシュー保持部材２０のガイド部１７ｂと対向する端面の外周側には、カム部１８ｂがカム係合する係合部２０ｂが設けられている。
【００３２】
シュー金具２３は、本発明のシュー部材の一例に相当し、シュー金具２３には、ロックピン２２が貫通する貫通穴２３ａ、及びガイド部１７ｂの底面にネジ止めするための複数のネジ穴２３ｂが形成されている。
【００３３】
接点バネ保持部材２６には、一対の腕部２６ａが周方向に略１８０°離間して設けられ、腕部２６ａには、段付きネジ２５が挿通するネジ挿通穴２６ｂが形成されている。また、接点バネ保持部材２６には、複数の接点ピン８を保持する接点保持部２６ｃが接点ピン８の数に対応して設けられている。
【００３４】
接点保持部２６ｃと接点ピン８の段部８ａと間には、接点ピン８をカメラ側アクセサリシュー２００の電気接点２０４，２０５（図４参照）に向けて付勢する接点付勢部材２７が支持されている。ここで、接点バネ保持部材２６、及びアクセサリシュー保持部材２０は、本発明の移動部材の一例に相当する。
【００３５】
ロックピン２２は、その軸方向の中央部に、アクセサリシュー保持部材２０に当接するストッパ３０が取り付けられている。また、ロックピン２２の一端は、シューモールド１７に形成された穴部１７ｆ（図５参照）、及びシュー金具２３に形成された貫通穴２３ａに挿入される。ロックピン２２の他端には、コイルバネ２９が外挿され、ロックピン２２の他端は、シューケース１５に形成された凹部１５ｅ（図５参照）に挿入される。
【００３６】
コイルバネ２９は、シューケース１５の凹部１５ｅの開口の周囲面とストッパ３０との間に圧縮状態で配置され、これにより、ロックピン２２をシュー金具２３側に付勢する。アクセサリシュー１０２のロック解除状態では、ロックピン２２は、アクセサリシュー保持部材２０により、シュー金具２３から突出しない位置に保持される。
【００３７】
次に、図４を参照して、ストロボ装置１００が着脱可能に装着されるカメラ側アクセサリシュー２００について説明する。図４は、カメラ側アクセサリシュー２００を示す外観斜視図である。なお、カメラ側アクセサリシュー２００については、公知であるので簡単に説明する。
【００３８】
図４に示すように、カメラ側アクセサリシュー２００は、カメラ１０１の外装カバー２０１の上面部に樹脂製のシュー台座２０２が、不図示のビスによりシュープレート２０３と共に固定される。シュー台座２０２には、電気接点２０４，２０５が一体に形成されている。
【００３９】
また、カメラ側アクセサリシュー２００には、ストロボ装置１００のアクセサリシュー１０２のシュー金具２３が係合する金属製のシュープレート２０３が設けられている。シュー金具２３は、カメラ１０１の背面側からシュープレート２０３に挿入される。
【００４０】
シュープレート２０３には、シュー金具２３の挿入方向から見て左右一対の挿入ガイド部が設けられている。また、シュープレート２０３には、アクセサリシュー１０２のロックピン２２が挿抜されるロック穴部２０６が形成されている。シュー台座２０２の上面には、シュープレート２０３に挿入されたシュー金具２３の上下方向のガタつきを抑える為のシューバネ２０７が取り付けられている。
【００４１】
図５（ａ）はストロボ装置１００側のアクセサリシュー１０２におけるロック解除状態での側断面図、図５（ｂ）はストロボ装置１００側のアクセサリシュー１０２におけるロック状態での側断面図である。
【００４２】
図６（ａ）は、ストロボ装置１００側のアクセサリシュー１０２におけるロック解除状態をカメラ１０１の背面側から見た中央断面図である。図６（ｂ）は、ストロボ装置１００側のアクセサリシュー１０２におけるロック状態をカメラ１０１の背面側から見た中央断面図である。
【００４３】
図３及び図５（ａ）に示すように、段付きネジ２５は、軸部２５ｃの一端に頭部２５ｂが配置され、軸部２５ｃの他端に軸部２５ｃより小径のねじ軸２５ａが配置され、軸部２５ｃには、軸バネ２８が外挿されている。
【００４４】
そして、段付きネジ２５は、接点バネ保持部材２６の腕部２６ａに形成されたネジ挿通穴２６ｂ、及びシューモールド１７に形成された段付き穴１７ｃの大径穴部１７ｄを挿通して、ねじ軸２５ａがアクセサリシュー保持部材２０にネジ止めされる。
【００４５】
このとき、段付きネジ２５の頭部２５ｂは、接点バネ保持部材２６の腕部２６ａに当接し、また、段付きネジ２５の軸部２５ｃに外挿された軸バネ２８は、段付き穴１７ｃの底面１７ｅと接点バネ保持部材２６の腕部２６ａとの間に配置される。
【００４６】
アクセサリシュー１０２のロック解除時は、ロックレバー１８のレバー部１８ａは、図２（ａ）の位置にあり、図６（ａ）に示すように、アクセサリシュー保持部材２０とシュー金具２３とのクリアランスはＣ１となる。この状態では、アクセサリシュー保持部材２０とシュー金具２３との間に、カメラ側アクセサリシュー２００のシュープレート２０３を挿入可能な状態にある。
【００４７】
このとき、アクセサリシュー保持部材２０の係合部２０ｂにロックレバー１８のカム部１８ｂのカム面１８ｅ（図３参照）がカム係合している。この状態では、図５（ａ）及び図６（ａ）に示すように、アクセサリシュー保持部材２０は、シューモールド１７の段付き穴１７ｃの大径穴部１７ｄの底面部１７ｅと接点バネ保持部材２６の腕部２６ａとの間に配置された軸バネ２８により上方に付勢されている。
【００４８】
従って、接点バネ保持部材２６は、上昇位置に配置され、接点ピン８を付勢する接点付勢部材２７は殆ど圧縮されていない。このため、ストロボ装置１００のアクセサリシュー１０２をカメラ側アクセサリシュー２００に取り付けた状態では、複数の接点ピン８は、電気接点２０４，２０５に接触しているが、電気接点２０４，２０５に付与する付勢力は小さくなっている。
【００４９】
一方、アクセサリシュー１０２のロック状態では、ロックレバー１８のレバー部１８ａは、図２（ｂ）の位置にあり、図６（ｂ）に示すように、アクセサリシュー保持部材２０とシュー金具２３のクリアランスはＣ２（Ｃ１＞Ｃ２）となる。この状態は、カメラ側アクセサリシュー２００のシュープレート２０３は、アクセサリシュー保持部材２０とシュー金具２３との間で挟圧されている。
【００５０】
即ち、アクセサリシュー保持部材２０は、係合部２０ｂとロックレバー１８のカム部１８ｂとのカム作用により、ロックレバー１８の回動操作に連動して、接点バネ保持部材２６と一体となって軸バネ２８の付勢力に抗して下方に移動して下降位置に位置決めされる。このとき、アクセサリシュー保持部材２０の係合部２０ｂにロックレバー１８のカム部１８ｂのカム面１８ｄ（図３参照）がカム係合している。
【００５１】
この状態では、接点ピン８を付勢する接点付勢部材２７が接点バネ保持部材２６により押されて圧縮され、複数の接点ピン８は、電気接点２０４，２０５に対して大きな付勢力を付与した状態で接触する。
【００５２】
また、ロックピン２２は、上述したように、アクセサリシュー保持部材２０に当接するストッパ３０に保持されて、コイルバネ２９によって下方（シュー金具２３側）へ付勢されている。従って、アクセサリシュー保持部材２０が下降すると、ロックピン２２は、コイルバネ２９の付勢力によりアクセサリシュー保持部材２０と同じ距離だけ移動し、シュー金具２３から突出する。
【００５３】
そして、ロックピン２２のシュー金具２３からの突出部分がカメラ側アクセサリシュー２００のロック穴部２０６に嵌合して、ストロボ装置１００がカメラ側アクセサリシュー２００から脱落するのを防止する。
【００５４】
以上説明したように、本実施形態では、アクセサリシュー１０２のロック時は、ロック解除時より大きな付勢力で接点ピン８がカメラ側アクセサリシュー２００の電気接点２０４，２０５に押しつけられる。このため、接点ピン８が電気接点２０４，２０５に付着した酸化被膜等を破断して、確実にストロボ装置１００とカメラ１０１とが電気的に接続される。また、ストロボ装置１００の着脱時においては、アクセサリシュー１０２のロックは解除されている為、接点ピン８は、小さな付勢力で電気接点２０４，２０５に接触する。
【００５５】
これにより、ストロボ装置１００の複数回の着脱の繰り返しによりカメラ側アクセサリシュー２００に疵がつくのを防止することができると共に、酸化被膜等の影響を受けることなく、カメラ１０１との電気的な接続を確実に確保することができる。
【００５６】
なお、本発明の構成は、上記実施形態に例示したものに限定されるものではなく、材質、形状、寸法、形態、数、配置箇所等は、本発明の要旨を逸脱しない範囲において適宜変更可能である。
【００５７】
例えば、上記の実施形態では、カメラ用アクセサリ機器の一例であるストロボ装置におけるアクセサリシューの説明を行ったが、通信機器やＧＰＳユニットなどのカメラ用アクセサリ機器におけるアクセサリシューにも適用できる。
【符号の説明】
【００５８】
８  接点ピン
１８  ロックレバー
２０  アクセサリシュー保持部材
２３  シュー金具
２６  接点バネ保持部材
２７  接点付勢部材
１００  ストロボ装置
１０１  カメラ
１０２  アクセサリシュー
２００  カメラ側アクセサリシュー
２０４，２０５  電気接点
【図１】
0005963471.tif 000002
【図２】
0005963471.tif 000003
【図４】
0005963471.tif 000004
【図５】
0005963471.tif 000005
【図３】
0005963471.tif 000006
【図６】
0005963471.tif 000007